(57)【要約】【課題】狭隘空間での使用に適した作業用ゴンドラを提供する。【解決手段】床面３ａを構成する床部３と、床部３の幅方向両側に立設された支柱部４と、前記支柱部に連結されるとともに、床部３の上方において少なくとも前側及び後側の何れか一方に設けられた手摺部５と、手摺部５に連結されるとともに、使用者の胴部を保持するベルト部６と、を備える。【選択図】図１
2019065573.tif 000002
【特許請求の範囲】
【請求項１】
床面を構成する床部と、
前記床部の幅方向両側に立設された支柱部と、
前記支柱部に連結されるとともに、前記床部の上方において少なくとも前側及び後側の何れか一方に設けられた手摺部と、
前記手摺部に連結されるとともに、使用者の胴部を保持するベルト部と、を備える作業用ゴンドラ。
【請求項２】
前記手摺部は、前側及び後側の何れか一方のみに設けられている、請求項１に記載の作業用ゴンドラ。
【請求項３】
前記手摺部は、前側のみに設けられている、請求項２に記載の作業用ゴンドラ。
【請求項４】
使用者が略直立姿勢で跨るように座ることができる椅子部を有する、請求項１〜３の何れか一項に記載の作業用ゴンドラ。
【請求項５】
前記椅子部は、前記床部の幅方向にスライド可能に設けられている、請求項４に記載の作業用ゴンドラ。
【請求項６】
前記椅子部は、座面の高さを調整可能に構成されている、請求項４または５に記載の作業用ゴンドラ。
【発明の詳細な説明】
【技術分野】
【０００１】
本発明は作業用ゴンドラに関し、特には、狭隘空間でも使用可能な作業用ゴンドラに関する。
【背景技術】
【０００２】
従来、例えば中高層建築物の外壁面の施工、清掃及びメンテナンス等を行う際には、屋上からワイヤーにより吊り下げられた昇降可能な作業用ゴンドラが使用されている。例えば特許文献１には、作業者が直立姿勢で乗ることができる所謂デッキ型のゴンドラが開示されている。
【０００３】
具体的に、特許文献１に開示されている作業用ゴンドラは、作業者が乗るための床面を構成する底フレームと、底フレームの上方において水平に設けられた前後左右の手摺部材と、上下方向に延びる複数本の補強支柱とを備えている。
【０００４】
このようなゴンドラは、作業者が底フレームの床面の上に立ったままの状態（直立姿勢）で外壁面の施工作業等を行うものであり、前後左右の手摺部材によって作業者の周囲を取り囲むことで、作業者の当該ゴンドラからの落下を防止している。
【０００５】
また、特許文献２には、作業者が座席に座った状態で使用する、所謂チェア型のゴンドラが開示されている。特許文献２に開示されているゴンドラは、１本のロープで上方から吊下げられたフレーム本体の中央部に座席が設けられており、作業者は、当該座席に座った状態で壁面の施工作業等を行うことができる。
【先行技術文献】
【特許文献】
【０００６】
【特許文献１】特開２０１６−２１１２２２号公報
【特許文献２】特開平９−４９３１８号公報
【発明の概要】
【発明が解決しようとする課題】
【０００７】
しかしながら、上記のような作業用ゴンドラは、例えば、隣接する建物との距離が狭くなっている狭隘空間で使用することを想定したものではなかった。それゆえ、当該狭隘空間の隙間よりも作業用ゴンドラの奥行（前後方向の長さ）が大きく、当該隙間に作業用ゴンドラを配置することができなかったり、配置することができた場合でも、ゴンドラが昇降する際に隣接する建物に接触して壁面を傷つけてしまったりする虞があった。
【０００８】
それゆえ本発明は、狭隘空間での使用に適した作業用ゴンドラを提供することを目的とするものである。
【課題を解決するための手段】
【０００９】
本発明は、上記課題を解決するためになされたものであり、本発明の作業用ゴンドラは、
床面を構成する床部と、
前記床部の幅方向両側に立設された支柱部と、
前記支柱部に連結されるとともに、前記床部の上方において少なくとも前側及び後側の何れか一方に設けられた手摺部と、
前記手摺部に連結されるとともに、使用者の胴部を保持するベルト部と、を備えるものである。
【００１０】
なお、本発明の作業用ゴンドラにあっては、前記手摺部は、前側及び後側の何れか一方のみに設けられていることが好ましい。
【００１１】
なお、本発明の作業用ゴンドラにあっては、前記手摺部は、前側のみに設けられていることが好ましい。
【００１２】
また、本発明の作業用ゴンドラにあっては、使用者が略直立姿勢で跨るように座ることができる椅子部を有することが好ましい。
【００１３】
また、本発明の作業用ゴンドラにあっては、前記椅子部は、前記床部の幅方向にスライド可能に設けられていることが好ましい。
【００１４】
また、本発明の作業用ゴンドラにあっては、前記椅子部は、座面の高さを調整可能に構成されていることが好ましい。
【発明の効果】
【００１５】
本発明によれば、狭隘空間での使用に適した作業用ゴンドラを提供することができる。
【図面の簡単な説明】
【００１６】
【図１】本発明の一実施形態としての作業用ゴンドラを示す斜視図である。
【図２】図１の作業用ゴンドラを用いて建物の壁面を施工する様子を示す側面図である。
【図３】図１の作業用ゴンドラを用いて建物の壁面を施工する様子を示す背面図である。
【図４】本発明の他の実施形態としての作業用ゴンドラを示す背面図である。
【発明を実施するための形態】
【００１７】
以下、本発明の一実施形態について、図面を参照して詳細に説明する。
【００１８】
図１〜３に示す作業用ゴンドラ１は、建物の屋根もしくは屋上等の上部から吊下げ部材としてのワイヤー２によって吊下げ保持されるとともに、昇降自在に構成されている。なお、建物は、例えば中高層の集合住宅とすることができるが、これに限定されず、壁面を有する任意の建物に採用可能である。
【００１９】
作業用ゴンドラ１は、床部３、支柱部４、手摺部５、及びベルト部６を備えている。なお、上方から見た平面視が長方形となる床部３の長辺の延在方向を作業用ゴンドラ１の幅方向（左右方向）とし、短辺の延在方向を作業用ゴンドラ１の奥行方向（前後方向）としている。また、床部３の床面３ａに直交する支柱部４の延在方向を作業用ゴンドラ１の高さ方向としている。
【００２０】
床部３は、使用者（作業者）が乗ることができる水平な床面３ａを備えている。本例において、床面３ａを構成する板材には、作業用ゴンドラ１の幅方向に延在するスライド孔３ｂが形成されている。
【００２１】
床部３の下面には、４つの車輪３ｃが設けられている。これにより、作業用ゴンドラ１を地面に置いた状態で容易に移動させることができる。４つの車輪３ｃは、床部３下面の角部である４箇所に設けられている。
【００２２】
床部３の幅方向両側には、前側と後側にそれぞれガイドローラー７が設けられている。当該ガイドローラー７は、例えば、建物の外壁面である壁面Ｓに作業用ゴンドラ１の前面が接触した状態で作業用ゴンドラ１を昇降させる際にガイドローラー７が回転することにより、当該壁面Ｓの損傷を防止することができる。そのため、前側のガイドローラー７は作業用ゴンドラ１において最も前側に突出しており、後側のガイドローラー７は作業用ゴンドラ１において最も後側に突出している。
【００２３】
本例では、作業用ゴンドラ１の前側と後側にガイドローラー７を設けたことにより、図２に示すように、施工対象である壁面Ｓのみならず、当該壁面Ｓに対向する壁面Ｓ’の損傷も防止することができる。
【００２４】
支柱部４は、床部３の幅方向両側の端部にそれぞれ立設された角柱状の支柱部材である。支柱部４は、床面３ａに対して直交するように延在している。本例における各支柱部４は、１本の支柱部材で構成されているが、これに限られるものではなく、例えば床部３の奥行方向または幅方向に間隔を空けて設置された複数本の支柱部材で構成してもよい。
【００２５】
また、本例では、左右それぞれの支柱部４の上端部にローラー保持部４ａが設けられ、当該ローラー保持部４ａの前側と後側にそれぞれガイドローラー８が設けられている。ガイドローラー８は、床部３に設けたガイドローラー７と同様の機能を有する。すなわち、ガイドローラー８が壁面Ｓまたは当該壁面Ｓに対向する壁面Ｓ’に接触した状態で作業用ゴンドラ１が昇降すると自動的に回転し、壁面Ｓの損傷を防止する。なお、本例のローラー保持部４ａには、ワイヤー２を通すためのガイド孔４ｂが形成されている。
【００２６】
手摺部５は、床部３の上方における所定の高さで、床面３ａと平行に（水平方向に）、且つ、幅方向に延在する棒状の部材で構成されている。手摺部５の両端は、左右の支柱部４に連結されている。より詳細には、手摺部５の両端は、それぞれの支柱部４の高さ方向の中間位置において前方に突出する手摺支持部４ｃに固定されている。なお、手摺部５の床面３ａからの高さは、使用者の腰の位置と同程度の高さであることが好ましい。
【００２７】
支柱部４の下部には、前方に突出する下壁支持部４ｄを介して下壁４ｅが設けられている。これにより、例えば使用者が足を滑らせた場合でも下壁４ｅにその足が当たり、足が床面３ａから前方に脱落することを防止することができる。なお、下壁４ｅは、後側に設けてもよい。
【００２８】
本例において手摺部５は、作業用ゴンドラ１の前側のみに設けられており、作業時及び床面３ａ上を移動する際に使用者が把持できるように構成されている。また、この手摺部５によって、使用者の前側への落下を防止することができる。なお、本例の作業用ゴンドラ１においては、手摺部５に連結されたベルト部６によって使用者の胴部を取り囲むことにより、あらゆる方向への落下を確実に防止することができる。
【００２９】
ベルト部６は、手摺部５に連結され、且つ、使用者の胴部を保持する帯状の部材である。本例では、ベルト部６は使用者の胴部の周りを全周にわたって取り囲み、前方のコネクタ部６ｂにより着脱可能に構成された環状部と、当該環状部を手摺部５に連結する左右両側の連結部とで構成されている。ベルト部６は、使用者及び手摺部５に対して着脱自在に構成されている。本例のベルト部６は、手摺部５に対して着脱自在、且つ、スライド自在な環状の連結部６ａを備えている。これにより、使用者は胴部に巻き付けたベルト部６を手摺部５に連結した状態のまま、床面３ａ上を安全に移動することができる。また、ベルト部６は、使用者の胴部のうち、特に腰に巻き付けられる構成であることが好ましい。
【００３０】
なお、本例では、手摺部５が作業用ゴンドラ１の前側のみに設けられているが、手摺部５を後側のみに設けてもよい。この場合には、手摺部５に連結されるベルト部６を本例とは逆側に配置する。すなわち、手摺部５を作業用ゴンドラ１の後側のみに設け、ベルト部６を前側に設ける。これにより、手摺部５によって使用者の後側への落下を防止するとともに、後側以外の方向への落下をベルト部６によって防止することができる。
【００３１】
このように、前側及び後側の何れか一方のみに手摺部５を設け、ベルト部６で使用者と手摺部５を連結することにより、前後両側に手摺を設ける場合よりも奥行Ｄを小さく設計することができる。これにより、施工対象である壁面Ｓと、当該壁面Ｓに対向する隣の建物の壁面Ｓ’との間の距離Ｃ（図２参照）が狭い狭隘空間でも使用することが可能となる。なお、作業用ゴンドラ１の奥行Ｄは、５０ｃｍ以下であることが好ましい。奥行Ｄは、より好適には、２７ｃｍ以上３３ｃｍ以下であることがより望ましい。
【００３２】
本例の作業用ゴンドラ１は、さらに、使用者が略直立姿勢を維持した状態で座ることができる椅子部１０を備えている。なお、略直立姿勢を維持した状態で座るとは、側面から見て腰から上の上半身（腹部から胸部の中心線）と、腰から下の下半身（大腿部の中心線）とが略９０度となるような大きな角度で曲がった状態で座るのではなく、上半身と下半身が側面から見て実質的に一直線状となるように腰と膝が曲がっていない直立姿勢に近い状態で座ることを意味するものである。例えば、一輪車や自転車のサドルのように、跨るように座ることで、容易に略直立姿勢を維持しながら座ることができる。このように略直立姿勢を維持した状態で座ることで、一般的な椅子に座る場合のように膝が前方に大きく突出しないので、作業用ゴンドラ１内の空間の奥行が狭くても座ることができる。なお、僅かに腰や膝が曲がった状態、または上半身よりも下半身が僅かに前方に出ているような状態も含むが、何れの場合にも、作業用ゴンドラ１の前端（本例ではガイドローラー７、８の前端）よりも使用者の膝が出ないように座ることが可能なものとする。
【００３３】
椅子部１０は、座面を形成するサドル部１１と、サドル部１１の下方に設けられた柱状のサドル支持部１２とを備えている。サドル部１１は、自転車のサドルのような、跨って座ることができる形状となっており、後側に比べて前側の幅が細くなっている。サドル部１１の形状は、略直立姿勢を維持しながら座ることができるものであれば、特に限定されず、例えば、サドル部１１の前側と同様に後側も幅が狭く（細く）なっている一輪車のサドルのような形状としてもよい。
【００３４】
本例において、サドル支持部１２は、サドル部１１の高さを自由に変更できるように構成されている。これにより、使用者に応じて適切な高さに座面の高さを調整できるので、より身体に負担が少なく適切な姿勢で作業をすることが可能となる。座面の高さは、床面から６０ｃｍから９０ｃｍを含むように高さ調整ができる。
【００３５】
サドル支持部１２は、床部３のスライド孔３ｂに沿って、すなわち、作業用ゴンドラ１の幅方向にスライド可能に構成されていることが好ましい。このような構成により、作業用ゴンドラ１での作業を広い範囲で椅子部１０に座った状態で行うことが可能となる。スライド機構としては、特に限定されるものではないが、本例では、サドル支持部１２の下部に、床部３のスライド孔３ｂを貫通する軸部と、軸部の先端に設けられたフランジ部１２ａとを設けた構成としている。フランジ部１２ａは、その外径がスライド孔３ｂの幅よりも大きくなっており、サドル支持部１２の軸部がスライド孔３ｂから抜け出すことを防止している。このような構成により、サドル支持部１２は、当該スライド孔３ｂに沿ってスライド可能となっている。これにより、使用者は、サドル部１１に跨った状態で、またはサドル部１１の横に起立した状態で椅子部１０をスライドさせて、椅子部１０を所望の位置に変更することができる。
【００３６】
本例では、サドル支持部１２のぐらつき（サドル支持部１２の下端部を支点とした揺動変位）を規制するための規制部１３が設けられている。規制部１３は、サドル支持部１２の上部を外側から取り囲むリング部１３ａと、手摺部５を外側から取り囲む筒部１３ｂと、リング部１３ａ及び筒部１３ｂを連結する連結部１３ｃとで構成されている。規制部１３により、例えば作業時にサドル支持部１２が下端部を支点に傾いて、前後左右にサドル部１１が変位するといった不具合を防止することができる。なお、本例では、手摺部５に対して筒部１３ｂがスライド可能に構成されており、スライド孔３ｂに沿った椅子部１０の移動（スライド）に応じて規制部１３もスライドさせることができる。
【００３７】
なお、作業中に椅子部１０がスライドしないように、サドル支持部１２にストッパー機能を設けてもよい。ストッパー機能の構成は特に限定されるものではないが、例えば、使用者がサドル部１１に体重を掛けて座ることで、サドル支持部１２の底面のゴム面等が床面３ａに当接して摩擦抵抗が増大し、幅方向にスライド不能となる構成とすることができる。この場合、使用者がサドル部１１に体重を掛けない場合は、ストッパー機能が作用せず、幅方向にスライド可能となる。
【００３８】
椅子部１０を設けることにより、起立状態で作業を行う場合と比べて、使用者の身体的な負担を軽減することができる。また、例えば使用者が椅子部１０に跨りつつ床面３ａに足を付けた状態で作業している際に、床面３ａから足を滑らせた場合でも椅子部１０によって体重が支持されるため、より安全に作業を行うことができる。
【００３９】
本例の作業用ゴンドラ１を使用して建物の壁面Ｓの施工作業を行う場合、図１、２に示すように、作業用ゴンドラ１は、手摺部５が設けられている前側の面が壁面Ｓ側に位置するように壁面Ｓに沿って配置される。すなわち、壁面Ｓと作業用ゴンドラ１の幅方向が平行となり、作業用ゴンドラ１の奥行方向が壁面Ｓに対して垂直となるように配置される。
【００４０】
なお、作業用ゴンドラ１は、昇降自在に構成されている。すなわち、使用者は、作業用ゴンドラ１に乗った状態で、作業用ゴンドラ１を自由に上昇または下降させ、また、所望の高さで停止させることができる。昇降操作の方法としては、例えば、有線又は無線で接続されたリモコン（図示省略）の操作によりワイヤー２の巻取装置（図示省略）を動作させる方法があるが、これに限られるものではない。この場合、ワイヤー２の巻取装置は、作業用ゴンドラ１の内部に設けられていてもよいし、屋上等の作業用ゴンドラ１の外部に設けられていてもよい。
【００４１】
図４は、他の実施形態としての作業用ゴンドラ２０を示す。なお、上述した実施形態と基本的な機能が同一である部分は、図中、同一の符号を付して説明を省略する。
【００４２】
本実施形態の作業用ゴンドラ２０は、作業用ゴンドラ２０の中心軸線状に設けられた１本のワイヤー２によって吊下げ保持される構成となっている。左右両側の支柱部４は、その上端部に設けられた支柱連結部４ｆで連結されている。支柱連結部４ｆにワイヤー２が連結されている。
【００４３】
本発明に係る建物は、上述した実施形態の構成に限定されるものではなく、特許請求の範囲で記載された内容を逸脱しない範囲で、様々な構成により実現することが可能である。例えば、手摺部５を、異なる高さに複数本設けてもよいし、手摺部５と床部３を連結する補助支柱等を設けてもよい。また、前側及び後側の両方に手摺部を設けてもよい。この場合、前側及び後側の何れか一方の手摺部を補助的な手摺部とし、ゴンドラの奥行に影響の少ない、薄い板状の部材等で構成することが好ましい。また、本発明に係る作業用ゴンドラは、作業者が床部の上で作業等を行うための装置を含んでおり、通常は吊り下げ部材により保持されている。ただし、本発明の趣旨を逸脱しない範囲であれば、吊り下げ部材により保持されていなくとも、他の部材で保持されていてもよい。
【符号の説明】
【００４４】
１：作業用ゴンドラ
２：ワイヤー（吊下げ部材）
３：床部
３ａ：床面
３ｂ：スライド孔
３ｃ：車輪
４：支柱部
４ａ：ローラー保持部
４ｂ：ガイド孔
４ｃ：手摺支持部
４ｄ：下壁支持部
４ｅ：下壁
４ｆ：支柱連結部
５：手摺部
６：ベルト部
６ａ：連結部
６ｂ：コネクタ部
７、８：ガイドローラー
１０：椅子部
１１：サドル部
１２：サドル支持部
１２ａ：フランジ部
１３：規制部
１３ａ：リング部
１３ｂ：筒部
１３ｃ：連結部
Ｓ：壁面
【図１】
2019065573.tif 000003
【図２】
2019065573.tif 000004
【図３】
2019065573.tif 000005
【図４】
2019065573.tif 000006